(57)【特許請求の範囲】
【請求項１】
第１台紙片と、第１台紙片と連接部で開閉可能に連接された第２台紙片の開閉内部に、連接部材、回転立体形成部片を設けた冊子体であって、前記連接部材は前記連接部上に中心が位置し、中心から連接部上の山折り線と±約４５度の谷折り線により第１台紙側貼着部片、第２台紙側貼着部片、手前側第１台紙側折部片、奥側第１台紙側折部片、手前側第２台紙側折部片、奥側第２台紙側折部片に分けられ、前記第１台紙側貼着部片、第２台紙側貼着部片はそれぞれ第１台紙片、第２台紙片に貼着され、前記手前側第１台紙側折部片の手前側辺に谷折り線を介して手前側回転立体形成部片が連接され、前記奥側第２台紙側折部片の奥側辺に谷折線を介して奥側回転立体形成部片が連接され、前記手前側回転立体形成部片と奥側回転立体形成部片の一部を貼着し、前記台紙片を開いた際、前記手前側回転立体形成部片が手前側に、奥側回転立体形成部片が奥側に回転することで立体形成可能となることを特徴とする冊子体。
【請求項２】
第１台紙片と、第１台紙片と連接部で開閉可能に連接された第２台紙片の開閉内部に、連接部材、回転立体形成部片が設けらた冊子体であって、前記連接部材は前記連接部上に中心が位置し、中心から連接部上の山折り線と±約４５度の谷折り線により第１台紙側貼着部片、第２台紙側貼着部片、手前側第１台紙側折部片、奥側第１台紙側折部片、手前側第２台紙側折部片、奥側第２台紙側折部片に分けられ、前記第１台紙側貼着部片、第２台紙側貼着部片はそれぞれ第１台紙片、第２台紙片に貼着され、前記奥側第１台紙側折部片の奥側辺に谷折り線を介して奥側回転立体形成部片が連接され、前記手前側第２台紙側折部片の手前側辺に谷折線を介して手前側回転立体形成部片が連接され、前記手前側回転立体形成部片と奥側回転立体形成部片の一部を貼着し、前記台紙片を開いた際、前記手前側回転立体形成部片が手前側に、奥側回転立体形成部片が奥側に回転することで立体形成可能となることを特徴とする冊子体。
【請求項３】
前記連接部材の中心に空隙部を有することを特徴とする請求項１、２記載の冊子体。
【請求項４】
請求項１〜３のいずれか記載の冊子体に綴じ部を設け、前記綴じ部を書籍又は雑誌に綴じ込んだことを特徴とする冊子体。
【請求項５】
請求項１〜３のいずれか記載の冊子体の第１台紙片及び／又は第２台紙片の開閉外部を、書籍又は雑誌の頁に貼着したことを特徴とする冊子体。
【発明の詳細な説明】
【０００１】
【発明の属する技術分野】
本発明は冊子体を開いた時に立体を形成する立体形成体を有する冊子体に関するものである。
【０００２】
【従来の技術】
従来、冊子体を開いた時に立体を形成する立体形成体を有する冊子体は実用化されている。これら冊子体の構造の多くは冊子体の中央に起き上がる様に立体形成するものである。これらの構造は平面の印刷より強調性はあるものの、その構造は既に知れ渡っており、意外性を感じなくなってきている。
【０００３】
この点を改善するため、特開平８−１９１９６１号公報などには回転しながら飛び出すことにより、意外性と面白さを加味することを目的とした構成が示されている。しかしながら、このような構造においても、その立体形成部片の動作方向は、冊子体を左右に開閉する場合に際に見る方向からすると、上下方向、手前から奥、まれに奥から手前方向であることに変わりはなく、十分な意外性を得ているものではなかった。
【０００４】
【発明が解決しようとする課題】
本発明はこのような問題点を解決するためになされたものであり、その課題とするところは、従来の冊子体を開いた時に中央に立体を形成する際の動きを、従来と異なるものとし、従来の立体形成体とは異なる意外性を有する冊子体を提供することにある。
【０００５】
【課題を解決するための手段】
本発明はこの課題を解決するため、すなわち請求項１記載の発明は、第１台紙片と、第１台紙片と連接部で開閉可能に連接された第２台紙片の開閉内部に、連接部材、回転立体形成部片を設けた冊子体であって、前記連接部材は前記連接部上に中心が位置し、中心から連接部上の山折り線と±約４５度の谷折り線により第１台紙側貼着部片、第２台紙側貼着部片、手前側第１台紙側折部片、奥側第１台紙側折部片、手前側第２台紙側折部片、奥側第２台紙側折部片に分けられ、前記第１台紙側貼着部片、第２台紙側貼着部片はそれぞれ第１台紙片、第２台紙片に貼着され、前記手前側第１台紙側折部片の手前側辺に谷折り線を介して手前側回転立体形成部片が連接され、前記奥側第２台紙側折部片の奥側辺に谷折線を介して奥側回転立体形成部片が連接され、前記手前側回転立体形成部片と奥側回転立体形成部片の一部を貼着し、前記台紙片を開いた際、前記手前側回転立体形成部片が手前側に、奥側回転立体形成部片が奥側に回転することで立体形成可能となることを特徴とする冊子体である。
【０００６】
また請求項２記載の発明は、第１台紙片と、第１台紙片と連接部で開閉可能に連接された第２台紙片の開閉内部に、連接部材、回転立体形成部片が設けらた冊子体であって、前記連接部材は前記連接部上に中心が位置し、中心から連接部上の山折り線と±約４５度の谷折り線により第１台紙側貼着部片、第２台紙側貼着部片、手前側第１台紙側折部片、奥側第１台紙側折部片、手前側第２台紙側折部片、奥側第２台紙側折部片に分けられ、前記第１台紙側貼着部片、第２台紙側貼着部片はそれぞれ第１台紙片、第２台紙片に貼着され、前記奥側第１台紙側折部片の奥側辺に谷折り線を介して奥側回転立体形成部片が連接され、前記手前側第２台紙側折部片の手前側辺に谷折線を介して手前側回転立体形成部片が連接され、前記手前側回転立体形成部片と奥側回転立体形成部片の一部を貼着し、前記台紙片を開いた際、前記手前側回転立体形成部片が手前側に、奥側回転立体形成部片が奥側に回転することで立体形成可能となることを特徴とする冊子体である。
【０００７】
本発明はこれらの手段により、冊子体を開いた時に立体を形成する回転立体形成部片が、従来と異なる横方向の回転を可能としている。これにより、従来とは異なる意外性を有する立体を形成する冊子体とすることを可能としている。
【０００８】
また請求項３記載の発明は、前記連接部材の中心に空隙部を有することを特徴とする請求項１、２記載の冊子体である。
【０００９】
本発明はこの手段により、連接部材の中心に係る折りの負荷を低減し、これにより立体形成部の展開を容易なものとしている。
【００１０】
また請求項４記載の発明は、請求項１〜３のいずれか記載の冊子体に綴じ部を設け、前記綴じ部を書籍又は雑誌に綴じ込んだことを特徴とする冊子体である。
【００１１】
また、請求項５記載の発明は、請求項１〜３のいずれか記載の冊子体の第１台紙片及び／又は第２台紙片の開閉外部を、書籍又は雑誌の頁に貼着したことを特徴とする冊子体である。
【００１２】
本発明はこれらの手段により、書籍又は雑誌の任意の見開き頁に本発明の立体形成部が展開する、という意外性のある効果を発揮する冊子体を提供することが可能となる。または、書籍又は雑誌の任意の頁に頁より外側に向けて連接部が開き、本発明の立体形成部が展開する、という意外性のある効果を発揮する冊子体を提供することが可能となる。
【００１３】
【発明の実施の形態】
以下、本発明を図面に基づき詳細に説明する。
本発明の冊子体の一実施例が立体形成した際の構造を、図１に外観図、図２に前面から見た場合、図３に側面から見た場合、図４に上面から見た場合の構造を示す。また、図１１に本発明の冊子体の一実施例が開く途中の側面から見た際の構造を示す。
第１台紙片１と第２台紙片２とは連接部３により連接され、この第１台紙片１と第２台紙片２の開閉内部で連接部３の中央付近に連接部材１０を有してなり、この連接部材の対角位置に手前側回転立体形成部片１１と奥側回転立体形成部片１２とをそれぞれ連接し、手前側回転立体形成部片１１と奥側回転立体形成部片１２を、これらが開閉時に立体形成可能となるように貼着してなる。
【００１４】
図５に本発明に係る連接部材１０の構造の一例を示す。
第１台紙側貼着部片４と第２台紙片側貼着部片５はそれぞれ第１台紙片１と第２台紙片２に貼着され、手前側第１台紙側折部片６、奥側第１台紙側折部片７、手前側第２台紙側折部片８、奥側第２台紙側折部片９はそれぞれ谷折り線ａ、山折り線ｂにより連接されている。また、各折部片の中心には空隙部１３が設けられている。そしてこれら折部片の対角位置、具体的には手前側第１台紙側折部片６と奥側第２台紙側折部片９、または奥側第１台紙側折部片７と手前側第２台紙側折部片８にそれぞれ回転立体形成部片が連接されている。
【００１５】
図６に本発明の冊子体に綴じ部を設けた場合の一例を示す。
図７に本発明の冊子体を雑誌に綴じ込んだ場合の一例を示す。
図６のように綴じ部１４を連接部３に設け、第１台紙片１と第２台紙片２を閉じた状態で、図７に示すように本発明の冊子体を書籍又は雑誌１５に綴じることが可能となる。図７の場合、第１台紙片１は左頁上に開き、結果としてこの書籍又は雑誌１５の見開き部分に立体形成体が展開することとなる。
【００１６】
図８に本発明の冊子体に綴じ部を設けた場合のもう一つの例を示す。
図９に本発明の冊子体を雑誌に綴じ込んだ場合のもう一つの例を示す。
図８のように綴じ部１４を第１台紙片１の左側面に設け、第２台紙片を閉じた状態で、図９に示すように本発明の冊子体を書籍又は雑誌１５に綴じることが可能となる。図９の場合、第２台紙片２は右頁の右側に開き、結果としてこの書籍又は雑誌１５の右頁右側に立体形成体が展開することとなる。
【００１７】
図１０に本発明の冊子体を雑誌に貼着した場合の一例を示す。
図１０のように第１台紙片１の開閉外部を書籍又は雑誌１５の左頁に貼着することで、本発明の冊子体を書籍又は雑誌１５に設けることが可能となる。図１０の場合、第２台紙片２は右頁上に開き、結果としてこの書籍又は雑誌１５の見開き部分に立体形成体が展開することとなる。
【００１８】
本発明における冊子体としては、書籍、雑誌のほか、バースデーカードのようなグリーティングカード、電報、ちらし公告等が適用可能であるが、これらに限定されるものではなく、連接部より開閉するものであれば特に限定するものではない。
【００１９】
本発明における台紙片１、２としては、書籍又は雑誌１５に貼着又は綴じ込み可能であるものが好ましく、適度に腰のある厚紙が素材としては好適である。しかし、用途に合わせ必要とする強度を有していれば特に限定されることはなく、使用可能である。
【００２０】
本発明における連接部３としては、開閉のための機能を有するものであればよく、単に折り目であってもよい。また別途綴じたものや金具により綴じられたものであってもよい。
【００２１】
本発明における連接部材１０としては、本発明の回転立体形成部を支えるものとしてある程度の強度および折り曲げに対して適性を有するものが好ましく、適度に腰のある厚紙が素材としては好適である。また、中心に空隙部を設けることで、綴じた際の連接部材１０への折曲げによる負荷を低減することが可能となるので、好ましい。
【００２２】
本発明における回転立体形成部片１１，１２としては、冊子体に閉じ込み可能なものであればよく、閉じた際に全体が冊子体内部の収納されるものが好ましく、適度に腰のある厚紙が素材としては好適である。
【００２３】
本発明における書籍または雑誌としては、上製本、並製本、無線綴じ本、中綴じ本等どのような形態でも適用可能であり限定するものではないが、特には、図７、図９のような綴じ部１４により綴じる場合は、無線綴じ本であれば製本工程において本発明の冊子体を綴じることが可能となり好ましい。一方、図１０のような台紙片の開閉外部を貼着する場合は、中綴じ本であってもその製本工程において本発明の冊子体を貼り込むことが可能となり好ましい。
【００２４】
【実施例】
以下、本発明を実施例に基づき説明する。
印刷を施したＢ４の用紙の裏面にＢ５の用紙を並べて貼着して第１台紙片と第２台紙片と連接部からなる台紙を作成した。
一方、約６ｃｍ×９ｃｍの大きさの連接部材となる用紙と、前記連接部材と２つの回転立体形成部を一体形成した用紙とを連接部材が下方となるように貼着し、折り目を設け、中心に空隙部を設けた。
前記連接部材の第１台紙側貼着部片と第２台紙側貼着部片を、図に示すように台紙に貼着し、回転立体形成部どうしを図に示すように貼着した。
出来上がった冊子体は、開いた時に中央に立体を形成する回転立体形成部片が従来と異なる横方向の回転をする、意外性を有する冊子体となった。
【００２５】
【発明の効果】
本発明は請求項１、２記載の発明により、冊子体を開いた時に中央に立体を形成する回転立体形成部片が、従来と異なる横方向の回転を可能としている。これにより、従来の冊子体とは異なる意外性を有する冊子体とすることを可能としているという効果を奏する。
【００２６】
また請求項３記載の発明により、連接部材の中心に係る負荷を低減し、これにより立体形成部の展開を容易なものとしているという効果を奏する。
【００２７】
また、請求項４、５記載の発明により、書籍又は雑誌の任意の見開き頁に本発明の立体形成部が展開する、という意外性のある効果を発揮する冊子体を提供することが可能となる。または、書籍又は雑誌の任意の頁に頁より外側に向けて連接部が開き、本発明の立体形成部が展開する、という意外性のある効果を発揮する冊子体を提供することが可能となるという効果を奏する。
【図面の簡単な説明】
【図１】本発明の冊子体の一実施例が立体形成した際の構造を示す説明図である。
【図２】本発明の冊子体の一実施例が立体形成した際の前面から見た際の構造を示す説明図である。
【図３】本発明の冊子体の一実施例が立体形成した際の側面から見た際の構造を示す説明図である。
【図４】本発明の冊子体の一実施例が立体形成した際の上面から見た際の構造を示す説明図である。
【図５】本発明に係る連接部材の構造の一例を示す説明図である。
【図６】本発明の冊子体に綴じ部を設けた場合の一例を示す説明図である。
【図７】本発明の冊子体を雑誌に綴じ込んだ場合の一例を示す説明図である。
【図８】本発明の冊子体に綴じ部を設けた場合のもう一つの例を示す説明図である。
【図９】本発明の冊子体を雑誌に綴じ込んだ場合のもう一つの例を示す説明図である。
【図１０】本発明の冊子体を雑誌に貼着した場合の一例を示す説明図である。
【図１１】本発明の冊子体を開く途中の側面から見た際の構造を示す説明図である。
【符号の説明】
１…第１台紙片
２…第２台紙片
３…連接部
４…第１台紙側貼着部片
５…第２台紙側貼着部片
６…手前側第１台紙側折部片
７…奥側第１台紙側折部片
８…手前側第２台紙側折部片
９…奥側第２台紙側折部片
１０…連接部材
１１…手前側回転立体形成部片
１２…奥側回転立体形成部片
１３…空隙部
１４…綴じ部
１５…書籍又は雑誌
【図１】
0003633385.tif 000002
【図２】
0003633385.tif 000003
【図３】
0003633385.tif 000004
【図４】
0003633385.tif 000005
【図５】
0003633385.tif 000006
【図６】
0003633385.tif 000007
【図７】
0003633385.tif 000008
【図８】
0003633385.tif 000009
【図９】
0003633385.tif 000010
【図１０】
0003633385.tif 000011
【図１１】
0003633385.tif 000012